(57)【要約】      （修正有）【課題】利便性及び装飾性に優れたチェンジマーカーを提供する。【解決手段】ゴルフボール用チェンジマーカーは、第一マーカー４と、第二マーカーとを備えている。第一マーカー４及び／又は第二マーカーは、第一装着手段８を有している。第一マーカー４と第二マーカーとは、第一装着手段８によって、着脱可能に保持されている。好ましくは、第一マーカー４は、第一装着手段８を有している。好ましくは、第一装着手段８は磁石であり、第一マーカー４及び第二マーカーの材質は、磁石に吸着可能な金属である。好ましくは、第二マーカーの平面視最大寸法は、第一マーカー４の平面視最大寸法よりも大きい。【選択図】図３
0003212358.tif 000002
【実用新案登録請求の範囲】
【請求項１】
第一マーカーと、第二マーカーとを備えており、
上記第一マーカー及び／又は上記第二マーカーが、第一装着手段を有しており、この第一装着手段によって、上記第一マーカーと第二マーカーとが着脱可能に保持されているゴルフボール用チェンジマーカー。
【請求項２】
上記第一マーカーが、上記第一装着手段を有している請求項１に記載のチェンジマーカー。
【請求項３】
上記第一装着手段が磁石であり、
上記第一マーカー及び第二マーカーの材質が、磁石に吸着可能な金属である請求項１又は２に記載のチェンジマーカー。
【請求項４】
上記第二マーカーの平面視最大寸法が、上記第一マーカーの平面視最大寸法よりも大きい請求項１から３のいずれかに記載のチェンジマーカー。
【請求項５】
上記第一マーカーの平面視最大寸法が、２０ｍｍ以上３５ｍｍ以下である請求項１から４のいずれかに記載のチェンジマーカー。
【請求項６】
上記第二マーカーの平面視最大寸法が、２１ｍｍ以上４０ｍｍ以下である請求項１から５のいずれかに記載のチェンジマーカー。
【請求項７】
上記第一マーカーが、板状の基部と、この基部の中央部に位置する円柱状の凸部とを有しており、
上記第二マーカーが、上記凸部に嵌合可能な平面視円形の貫通孔を有している請求項１から６のいずれかに記載のチェンジマーカー。
【請求項８】
上記第二マーカーが、環状のリング部からなる請求項７に記載のチェンジマーカー。
【請求項９】
上記第一マーカーが、板状の基部からなり、
上記第二マーカーが、貫通孔を有する環状のリング部と、この貫通孔に架け渡されたブリッジ部とを有している請求項１から６のいずれかに記載のチェンジマーカー。
【請求項１０】
上記ブリッジ部が、上記貫通孔の平面視最大径となる２点間を結んで架け渡されている請求項９に記載のチェンジマーカー。
【請求項１１】
上記ブリッジ部が、上記貫通孔の直径方向に直線的に架け渡されている請求項９又は１０に記載のチェンジマーカー。
【請求項１２】
上記基部が円板状であり、この基部の上面の外周近傍に、上記第一装着手段が埋設されている請求項７から１１のいずれかに記載のチェンジマーカー。
【請求項１３】
上記第一マーカーが、さらに第二装着手段を有しており、
上記第二装着手段が磁石であり、この第二装着手段が上記基部の下面に埋設されている請求項７から１２のいずれかに記載のチェンジマーカー。
【請求項１４】
上記基部が円板状であり、この基部に、その外周に向かって開口する切り欠きが設けられている請求項７から１３のいずれかに記載のチェンジマーカー。
【請求項１５】
上記第二マーカーの上面及び下面が、異なる外観を有している請求項７から１４のいずれかに記載のチェンジマーカー。
【考案の詳細な説明】
【技術分野】
【０００１】
本考案は、ゴルフボール用チェンジマーカーに関する。
【背景技術】
【０００２】
従来、グリーン上に停止したゴルフボールの位置を示す目印として、円板状のマーカーが使用される。このマーカーには、使用時の視認性及びデザイン性向上のため、種々の文字、数字、図形等の装飾が付されている。マーカーの表裏両面に装飾が付される場合がある。
【０００３】
携帯容易なマーカーとして、その裏面に磁石を埋設したマーカーが提案されている。プレーヤーは、このマーカーを、帽子又は衣服等に装着した金属製のクリップに付着させて携帯する。このマーカーでは、磁石が埋設された裏面に装飾を付すことができない。
【考案の概要】
【考案が解決しようとする課題】
【０００４】
不使用時のマーカーを付着させたクリップを帽子、衣服等に装着した場合、マーカーの外観と帽子、衣服等のデザインとが調和せず、違和感を生じさせる場合がある。また、マーカーの外観が、他のプレーヤーが所持するマーカーと類似している場合、使用時に混同する場合がある。従来のマーカーでは、その外観を簡単に変更することができないことから、プレーヤーは、外観の異なる複数のマーカーを所持する必要があった。
【０００５】
本考案の目的は、マーカーの外観を簡便に変更することができるゴルフボール用チェンジマーカーの提供にある。
【課題を解決するための手段】
【０００６】
本考案に係るゴルフボール用チェンジマーカーは、第一マーカーと、第二マーカーとを備えている。第一マーカー及び／又は第二マーカーは、第一装着手段を有している。この第一装着手段によって、第一マーカーと第二マーカーとは着脱可能に保持されている。
【０００７】
好ましくは、この第一マーカーは第一装着手段を有している。
【０００８】
好ましくは、この第一装着手段は磁石である。好ましくは、この第一マーカー及び第二マーカーの材質は、磁石に吸着可能な金属である。
【０００９】
好ましくは、この第二マーカーの平面視最大寸法は、この第一マーカーの平面視最大寸法よりも大きい。好ましくは、第一マーカーの平面視最大寸法は、２０ｍｍ以上３５ｍｍ以下である。好ましくは、第二マーカーの平面視最大寸法は、２１ｍｍ以上４０ｍｍ以下である。
【００１０】
好ましくは、第一マーカーは、板状の基部と、この基部の中央部に位置する円柱状の凸部とを有しており、第二マーカーは、この凸部の嵌合可能な平面視円形の貫通孔を有している。好ましくは、第二マーカーは、環状のリング部からなる。
【００１１】
好ましくは、第一マーカーは、板状の基部からなり、第二マーカーは、貫通孔を有する環状のリング部と、この貫通孔に架け渡されたブリッジ部とを有している。
【００１２】
好ましくは、このブリッジ部は、この貫通孔の平面視最大径となる２点間を結んで架け渡されている。好ましくは、このブリッジ部は、この貫通孔の直径方向に直線的に架け渡されている。
【００１３】
好ましくは、この基部は円板状である。この基部の上面の外周近傍には、第一装着手段が埋設されている。
【００１４】
好ましくは、この第一マーカーは、さらに第二装着手段を有している。この第二装着手段は磁石である。この第二装着手段は、この基部の下面に埋設されている。
【００１５】
好ましくは、この基部は円板状である。この基部には、その外周に向かって開口する切り欠きが設けられている。
【００１６】
好ましくは、この第二マーカーの上面及び下面は、異なる外観を有している。
【考案の効果】
【００１７】
本考案に係るチェンジマーカーは、第一マーカーと第二マーカーとが着脱可能である。このチェンジマーカーによれば、その外観を簡便に変更することができる。
【図面の簡単な説明】
【００１８】
【図１】図１の（１Ａ）は、本考案の一実施形態に係るチェンジマーカーの平面図であり、（１Ｂ）は、その底面図である。
【図２】図２は、図１のチェンジマーカーが分解された状態を示す正面図である。
【図３】図３の（３Ａ）は、図１の第一マーカーの平面図であり、（３Ｂ）は、（３Ａ）のＡ−Ａ線に沿った断面図である。
【図４】図４の（４Ａ）は、図１の第二マーカーの平面図であり、（４Ｂ）は、（４Ａ）のＢ−Ｂ線に沿った断面図である。
【図５】図５は、本考案の他の実施形態に係るチェンジマーカーが分解された状態を示す正面図である。
【図６】図６の（６Ａ）は、図５の第一マーカーの平面図であり、（６Ｂ）は、（６Ａ）のＣ−Ｃ線に沿った断面図である。
【図７】図７の（７Ａ）は、図５の第二マーカーの平面図であり、（７Ｂ）は、（７Ａ）のＤ−Ｄ線に沿った断面図である。
【考案を実施するための形態】
【００１９】
以下、適宜図面が参照されつつ、好ましい実施形態に基づいて本考案が詳細に説明される。この実施形態に基づいて本考案が限定的に解釈されるべきではない。
【００２０】
図１の（１Ａ）及び（１Ｂ）には、本考案の第一実施形態に係るチェンジマーカー２が示されている。（１Ａ）は、このチェンジマーカー２の平面図であり、（１Ｂ）は、このチェンジマーカー２の底面図である。図示される通り、このチェンジマーカー２は、第一マーカー４と、第二マーカー６とを備えている。この第一マーカー４は、その外周に向かって開口する４つの切り欠き１４を有している。この第二マーカーは、平面視円形である。
【００２１】
図２は、このチェンジマーカー２が、第一マーカー４と第二マーカー６とに分離された状態が示された正面図である。この第一マーカー４は、板状の基部１０と、この基部１０の中央部に位置する凸部１２とを有している。この第一マーカー４では、この基部１０に４つの切り欠き１４が設けられている。
【００２２】
図３の（３Ａ）は、図１の第一マーカー４の平面図であり、（３Ｂ）は、図１の第一マーカー４のＡ−Ａ線に沿った断面図である。図３の（３Ａ）に示された両矢印Ｌ１は、この第一マーカー４の平面視最大寸法である。この実施形態における凸部１２の平面視形状は、円形である。換言すれば、この第一マーカー４は、板状の基部１０と、この基部１０の中央部に位置する円柱状の凸部１２とを有している。この円柱状の凸部１２の平面視直径は特に限定されないが、デザイン性の観点から、円柱状の凸部１２の平面視直径は、３０ｍｍ以下が好ましく、２２ｍｍ以下がより好ましい。耐久性の観点から、円柱状の凸部１２の好ましい平面視直径は、１４ｍｍ以上である。
【００２３】
図示される通り、この第一マーカー４は、基部１０の上面に、４つの第一装着手段８を有している。４つの第一装着手段８は、それぞれ、基部１０の外周近傍に埋設されている。この実施形態では、第一マーカー４は、さらに、第二装着手段１６を有している。図示される通り、第二装着手段１６は、第一マーカー４の基部１０の下面に埋設されている。
【００２４】
図４の（４Ａ）は、図１の第二マーカー６の平面図であり、（４Ｂ）は、図１の第二マーカー６のＢ−Ｂ線に沿った断面図である。図４の（４Ａ）に示された両矢印Ｌ２は、この第二マーカー６の平面視最大寸法である。この第二マーカー６の平面視最大寸法Ｌ２は、第一マーカー４の平面視最大寸法Ｌ１よりも大きい。
【００２５】
この第二マーカー６は、環状のリング部２０からなる。換言すれば、この第二マーカー６は、平面視円形の貫通孔１８を有する円板状である。貫通孔１８の平面視直径は特に限定されないが、デザイン性の観点から３９ｍｍ以下が好ましく、３５ｍｍ以下がより好ましい。耐久性の観点から、貫通孔１８の好ましい平面視直径は、１４ｍｍ以上である。
【００２６】
このチェンジマーカー２では、第一マーカー４の上面並びに第二マーカー６の上面及び下面に、文字、図形等の装飾が付される。好ましくは、第二マーカー６の上面及び下面に、それぞれ異なる装飾が付される。この第二マーカー６の上面及び下面は、異なる外観を有している。
【００２７】
このチェンジマーカー２では、第一マーカー４が有する４つの第一装着手段８によって、第二マーカー６が、第一マーカー４に装着される。第２マーカー６が第一マーカー４に装着されるとき、第一マーカー４の凸部１２が、第二マーカー６の貫通孔１８に嵌合される。このチェンジマーカー２では、必要に応じて、第一マーカー４と第二マーカー６とを分離することができる。換言すれば、このチェンジマーカー２では、第一装着手段８によって、第一マーカー４と第二マーカー６とが着脱可能に保持されている。
【００２８】
このチェンジマーカー２によれば、第一マーカー４と分離した第二マーカー６を、上下反転させた状態で、再度、第一マーカー４に装着することが可能である。この第二マーカー６を備えたチェンジマーカー２では、第二マーカー６を上下反転させることにより、容易にその外観が変更される。また、それぞれ異なる装飾が付された複数のチェンジマーカー２の間で、第二マーカー６を交換することにより、外観の多様な変更が可能になる。
【００２９】
このチェンジマーカー２を使用する場合、第二マーカー６を第一マーカー４に装着した状態でグリーン上に載置してもよく、第一マーカー４単体で載置してもよく、第二マーカー６単体で載置してもよく、さらに、この第二マーカー６を上下反転させて載置してもよい。このチェンジマーカー２は、使用時に、外観の多様な変更が可能である。このチェンジマーカー２の付加価値は高い。
【００３０】
前述した通り、このチェンジマーカー２では、第一マーカー４が第二装着手段１６を有している。この第二装着手段１６によって、チェンジマーカー２は、不使用時に、プレーヤーの衣服、帽子、クリップ、ホルダー等に装着される。このチェンジマーカー２では、プレーヤーの衣服等のデザインと調和するように、その外観を容易に変更することができる。このチェンジマーカー２は、ファッション性に優れている。
【００３１】
本考案において、第一マーカー４と第二マーカー６とが着脱可能に保持される限り、第一マーカー４のみが第一装着手段８を有してもよく、第二マーカー６のみが第一装着手段８を有してもよく、第一マーカー４及び第二マーカー６が第一装着手段８を有してもよい。本考案の目的が達成される限り、第一マーカー４及び／又は第二マーカー６が有する第一装着手段８の数は、特に限定されない。
【００３２】
本考案において、第一マーカー４と第二マーカー６とが着脱可能に保持される限り、第一装着手段８の種類は特に限定されない。例えば、第一装着手段８として、磁石、ねじ、バネ等が例示される。着脱容易との観点から、好ましい第一装着手段８は、磁石である。
【００３３】
本考案において、第一マーカー４及び第二マーカー６の材質は特に限定されず、種々の金属、樹脂等が適宜選択されて用いられる。第一装着手段８として磁石が採用される場合、好ましい第一マーカー４及び第二マーカー６の材質は、磁石に吸着可能な金属である。コスト及び加工性の観点から、より好ましい材質は、亜鉛合金及び鉄である。第一マーカー４及び第二マーカー６を着脱可能に保持される限り、第一マーカー４又は第二マーカー６の全体が、磁石に吸着可能な金属を材質として形成される必要はなく、その一部の材質として、磁石に吸着可能な金属が用いられてもよい。
【００３４】
本考案において、第二装着手段１６の種類は特に限定されない。代表的な第二装着手段１６として、磁石、クリップ等が例示される。第二装着手段１６が磁石であるチェンジマーカー２は、金属製のクリップ等に着脱可能に保持されうる。第二装着手段１６がクリップであるチェンジマーカー２は、プレーヤーの衣服や帽子等に装着されうる。第二装着手段１６を有するチェンジマーカー２は、携帯性に優れている。チェンジマーカー２が、第二装着手段１６を備えなくてもよい。
【００３５】
本考案において、基部１０の平面視形状は特に限定されず、その形状として、円形、楕円形、三角形、四角形、多角形等が例示される。好ましくは、円形、楕円形、三角形、四角形、多角形等を基本構成として、その周囲に切り欠き１４が設けられる。この切り欠き１４に指を引っかけることにより、第一マーカー４と第二マーカー６とを容易に分離することができる。本考案において、切り欠き１４の数及び平面視形状は特に限定されない。切り欠き１４の平面視形状として、半円形、半楕円形、三角形、四角形、多角形等が例示される。基部１０に切り欠き１４が設けられなくてもよい。
【００３６】
本考案において、凸部１２の平面視形状は特に限定されず、その形状として、円形、楕円形、三角形、四角形、多角形等が例示される。第二マーカー６との着脱容易との観点から、平面視円形又は楕円形の凸部１２が好ましい。
【００３７】
本考案において、貫通孔１８の平面視形状は特に限定されず、その形状として、円形、楕円形、三角形、四角形、多角形等が例示される。第一マーカー４との着脱容易との観点から、平面視円形又は楕円形の凸部１２が好ましい。
【００３８】
本考案において、第二マーカー６が、第一マーカー４の凸部１２の嵌合可能な貫通孔１８を有している限り、第二マーカー６の外周の平面視形状は、特に限定されない。例えば、円形、楕円形、三角形、四角形、多角形等を基本構成として、その周囲に種々の装飾を施すことが可能である。製造容易との観点から、第二マーカー６の外周の平面視形状は、円形又は楕円形が好ましい。
【００３９】
本考案において、第一マーカー４の平面視最大寸法Ｌ１は特に限定されないが、グリーン上に載置したときの視認性の観点から、１４ｍｍ以上が好ましく、２０ｍｍ以上がより好ましく、２５ｍｍ以上が特に好ましい。携帯容易及びデザイン性の観点から、４０ｍｍ以下が好ましく、３５ｍｍ以下がより好ましく、３０ｍｍ以下が特に好ましい。
【００４０】
本考案において、第二マーカー６の平面視最大寸法Ｌ２は、特に限定されないが、グリーン上に載置したときの視認性の観点から、１４ｍｍ以上が好ましく、２０ｍｍ以上がより好ましく、２１ｍｍ以上がさらに好ましく、２５ｍｍ以上が特に好ましい。携帯容易及びデザイン性の観点から、４０ｍｍ以下が好ましく、３５ｍｍ以下がより好ましい。
【００４１】
前述した通り、このチェンジマーカー２では、第二マーカー６の平面視最大寸法Ｌ２が、第一マーカー４の平面視寸法Ｌ１よりも大きい。このチェンジマーカー２は、第一マーカー４と第二マーカー６とが容易に分離されうる。この観点から、寸法Ｌ２と寸法Ｌ１との差（Ｌ２−Ｌ１）は、１ｍｍ以上が好ましく、３ｍｍ以上がより好ましい。差（Ｌ２−Ｌ１）は、５ｍｍ以下が好ましい。
【００４２】
図５は、本考案の第二実施形態に係るチェンジマーカー２２の、分離した状態が示された正面図である。このチェンジマーカー２２は、板状の基部３０からなる第一マーカー２４と、第二マーカー２６とを備えている。この基部３０には、切り欠き３２が設けられている。
【００４３】
図６の（６Ａ）は、図５の第一マーカー２４の平面図であり、（６Ｂ）は、図５の第一マーカー２４のＣ−Ｃ線に沿った断面図である。図６の（６Ａ）に示された両矢印Ｌ３は、この第一マーカー２４の平面視最大寸法である。この実施形態では、円板状の基部３０において、その外周に向かって開口する４つの切り欠き３２が設けられている。この切り欠き３２によって、第一マーカー２４と第二マーカー２６とが容易に分離される。
【００４４】
この第一マーカー２４は、基部３０の上面に、４つの第一装着手段２８を有している。４つの第一装着手段２８は、それぞれ、基部３０の外周近傍に埋設されている。この実施形態では、第一マーカー２４が有する４の第一装着手段２８によって、第二マーカー２６が、第一マーカー２４に着脱可能に保持される。第一マーカー２４及び第二マーカー２６を着脱可能に保持できる限り、第一装着手段２８の数及び埋設される位置は、特に限定されない。
【００４５】
この第一マーカー２４は、さらに、第二装着手段３４を有している。第二装着手段３４は、第一マーカー２４の基部３０の下面に埋設されている。第二装着手段３４によって、第一マーカー２４は、第二マーカー２６とは異なる他の部材（図示されず）に装着されうる。第一マーカー２４が第二装着手段３４を備えなくてもよい。
【００４６】
図７の（７Ａ）は、図５の第二マーカー２６の平面図であり、（７Ｂ）は、図５の第二マーカー２６のＤ−Ｄ線に沿った断面図である。この第二マーカー２６は、貫通孔３６を有する環状のリング部３８と、この貫通孔３６に架け渡されたブリッジ部４０とを有している。このチェンジマーカー２２では、ブリッジ部４０は、貫通孔３６の平面視最大径となる２点間を結んで、この貫通孔３６の直径方向に直線的に架け渡されている。このチェンジマーカー２２は、使用時、グリーン上に載置される。プレーヤーは、このブリッジ部４０を目安にして、パッティングの方向を定めることができる。このチェンジマーカー２２によれば、パッティングストロークの方向性を高めることができる。
【００４７】
図７の（７Ａ）に示される両矢印Ｌ４は、この第二マーカー２６の平面視最大寸法である。第一マーカー２４と第二マーカー２６との分離容易との観点から、第二マーカー２６の平面視最大寸法Ｌ４が、第一マーカー２４の平面視最大寸法Ｌ３よりも大きいことが好ましい。
【００４８】
本考案の第三実施形態に係るチェンジマーカーは、第一実施形態のチェンジマーカー２の基本構成において、第二マーカーの上面及び／又は下面に、目盛りが付されている。プレーヤーが、この第三実施形態に係るチェンジマーカーを使用するとき、第二マーカーに付された目盛りを目安にして、パッティングの方向を定めることができる。この第三実施形態に係るチェンジマーカーによれば、パッティングストロークの方向性を高めることができる。
【００４９】
本考案の第四実施形態に係るチェンジマーカーは、第二実施形態のチェンジマーカー２２の基本構成において、第二マーカーが、貫通孔を有する環状のリング部と、この貫通孔に相互に直交して架け渡されたブリッジ部とを有している。この第二マーカーには、リング部とブリッジ部とに種々の装飾が付されうる。この第四実施形態に係るチェンジマーカーによれば、外観のさらに多様な変更が可能である。
【００５０】
本考案の第五実施形態に係るチェンジマーカーは、第二実施形態のチェンジマーカー２２の基本構成において、第二マーカーが、貫通孔を有する環状のリング部と、この貫通孔に架け渡された曲線形状に加工されたブリッジ部とを有している。この第二マーカーでは、リング部と、曲線形状のブリッジ部とに種々の装飾が付されうる。この第五実施形態に係るチェンジマーカーによれば、外観のさらに多様な変更が可能である。
【００５１】
本考案の第六実施形態に係るチェンジマーカーは、第二実施形態のチェンジマーカー２２の基本構成において、第二マーカーが、ブリッジ部に代えて、その平面視形状が文字等に加工された修飾部を有している。この修飾部の平面視形状の例として、アルファベット、平仮名、片仮名、漢字、絵文字等が挙げられる。この第六実施形態に係るチェンジマーカーによれば、外観の更に多様な変更が可能である。
【産業上の利用可能性】
【００５２】
本考案に係るチェンジマーカーは、装飾としてデザイン性の高い図案やメッセージを付すことにより、贈答品、販促品等として用いられる。
【符号の説明】
【００５３】
２、２２・・・チェンジマーカー
４、２４・・・第一マーカー
６、２６・・・第二マーカー
８、２８・・・第一装着手段
１０、３０・・・基部
１２・・・凸部
１４、３２・・・切り欠き
１６、３４・・・第二装着手段
１８、３６・・・貫通孔
２０、３８・・・リング部
４０・・・ブリッジ部
【図１】
0003212358.tif 000003
【図２】
0003212358.tif 000004
【図３】
0003212358.tif 000005
【図４】
0003212358.tif 000006
【図５】
0003212358.tif 000007
【図６】
0003212358.tif 000008
【図７】
0003212358.tif 000009